(57)【特許請求の範囲】
【請求項１】
シャワー吐出口およびストレート吐出口を有する頭部と筒状の水質浄化材を内蔵した水質浄化用カートリッジを交換可能に収容する把持部とを一体に形成し、
この把持部の水質浄化用カートリッジ収容箇所の上流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、
前記弁体内に所定の回動角度位置で水質浄化用カートリッジの中央空間部に連通する流路を形成するとともに弁座外周側に前記水質浄化用カートリッジの外周側に連通する流路を形成し、
さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とする浄水機能付きシャワーヘッド。
【請求項２】
シャワー吐出口およびストレート吐出口を有する頭部と筒状の水質浄化材を内蔵した水質浄化用カートリッジを交換可能に収容する把持部とを一体に形成し、 
この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、
前記弁体内に所定の回動角度位置で水質浄化用カートリッジの中央空間部に連通する流路を形成するとともに弁座外周側に前記水質浄化用カートリッジの外周側に連通する流路を形成し、
さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とする浄水機能付きシャワーヘッド。
【請求項３】
シャワー吐出口およびストレート吐出口を有する頭部と筒状の水質浄化材を内蔵した水質浄化用カートリッジを交換可能に収容する把持部とを一体に形成し、
この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、 
前記弁体内に所定の回動角度位置で水質浄化用カートリッジの外周側に連通する流路を形成するとともに弁座外周側に前記水質浄化用カートリッジの中央空間部に連通する流路を形成し、
さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とする浄水機能付きシャワーヘッド。
【請求項４】
前記吐出切換弁を弁座流路に対して平行な軸の軸回りに弁体を回動する回動式遮断弁として形成したことを特徴とする請求項１から３のいずれか記載の浄水機能付きシャワーヘッド。
【請求項５】
前記吐出切換弁を板状に形成された弁体を有する遮断弁としたことを特徴とする請求項１から３のいずれか記載の浄水機能付きシャワーヘッド。
【請求項６】
前記吐出切換弁を弁軸に対して前記弁体の板面を略垂直に向け、アーム部を介して前記弁軸から離間した位置に前記板面を配置して、前記弁体を弁軸回りに回動する遮断弁として形成したことを特徴とする請求項１から３のいずれか記載の浄水機能付きシャワーヘッド。
【発明の詳細な説明】
【０００１】
【発明の属する技術分野】
本発明は、台所または厨房、洗面所あるいは風呂場等で用いられ、使用時に吐出する水および／または湯を浄化する能力を具備した浄水機能付きシャワーヘッドに関する。
【０００２】
【従来の技術】
従来、洗面所あるいは風呂場等で用いられる洗面装置やシャワー装置等に取り付けられ、水、湯、または湯水混合水（以下、単に混合水という）の水質浄化能力を具備したシャワーヘッドには、例えば登録実用新案公報第 3007614号記載の塩素除去シャワーヘッドがあった。
この塩素除去シャワーヘッドは、把持部内に水質を浄化するための水質浄化用カートリッジと、浄化された水（以下、浄水という）と浄化されていない水（以下、原水という）とのいずれか一方をシャワー吐出するか切り換える流路切換弁とが収容されており、流路切換弁が水質浄化用カートリッジの上流側に配置され、この流路切換弁の回転摘みを回すことによって、浄水と原水とのいずれかを吐出することができるように形成されている。
【０００３】
〔問題点〕
このような従来の回転摘みを回す型の流路切換弁により浄水か原水かを切り換える塩素除去シャワーヘッドにおいては、回転摘みも含めて、その流路切換部材を収容部に合わせて小さく形成しなければならず、その形状、構造等が制約されるため流路抵抗が増加し、また、操作しにくく、製造も難しくなるという問題点があった。
【０００４】
【発明が解決しようとする課題】
本発明は、従来の技術における前記問題点に鑑みて成されたものであり、これを解決するため具体的に設定された課題は、流路切換弁が操作や製造に支障をきさない大きさを有し、扱い易くするとともに、流路抵抗を少なくした浄水機能付きシャワーヘッドを提供することにある。
【０００５】
【課題を解決するための手段】
前記課題を効果的に解決できるように構成した手段としての、本発明における請求項１に係る浄水機能付きシャワーヘッドは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の上流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの中央空間部に連通する流路を形成するとともに弁座外周側に前記水質浄化用カートリッジの外周側に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とするものである。
【０００６】
また、請求項２に係る浄水機能付きシャワーヘッドは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの中央空間部に連通する流路を形成するとともに弁座外周側に前記水質浄化用カートリッジの外周側に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とする。
【０００７】
また、請求項３に係る浄水機能付きシャワーヘッドは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの外周側に連通する流路を形成するとともに弁座外周側に前記水質浄化用カートリッジの中央空間部に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことを特徴とする。
【０００８】
また、請求項４に係る浄水機能付きシャワーヘッドは、前記吐出切換弁を弁座流路に対して平行な軸の軸回りに弁体を回動する回動式遮断弁として形成したことを特徴とする。
【０００９】
また、請求項５に係る浄水機能付きシャワーヘッドは、前記吐出切換弁を板状に形成された弁体を有する遮断弁としたことを特徴とする。
【００１０】
また、請求項６に係る浄水機能付きシャワーヘッドは、前記吐出切換弁を弁軸に対して前記弁体の板面を略垂直に向け、アーム部を介して前記弁軸から離間した位置に前記板面を配置して、前記弁体を弁軸回りに回動する遮断弁として形成したことを特徴とする。
【００１３】
【発明の実施の形態】
本発明における以下の実施の形態では、回転摘みを有する流路切換弁を設けた場合について説明する。
なお、この実施の形態は、発明の趣旨をより良く理解させるため具体的に説明するものであり、特に指定のない限り、発明内容を限定するものではない。
【００１４】
〔第１実施形態〕
〔構成〕
ここで用いられる回転摘みを有する流路切換弁を設けた浄水機能付きシャワーヘッドは、台所の流しで混合水を必要に応じて浄化して吐出するために使用されるシャワーヘッドとして形成する。
このため、浄水機能付きシャワーヘッド１００は、図１，２の外観図に示すように、図示しない混合水栓のホースに取付けできる端部を有する把持部１１０と、この把持部１１０のホース取付側とは反対側の端部でシャワー吐出することができるようにした頭部１２０とを備える。
【００１５】
把持部１１０は、中間部で頭部１２０側に直結した筒部１１１とホース取付側の筒部１１２とに分け、これらを着脱自在かつ一体的に組み合わせることができるようにするねじ結合部を形成した中継部１１３を設け、この中継部１１３の螺合を解除して筒部１１１と筒部１１２を分離することにより、把持部１１０の内部に水質浄化用カートリッジ１３０（図３，４参照）を収容することができるようにし、そして、ホース取付側の端部には厚肉円筒状のホース接続部１１４を設け、その先端部にホース取付ねじ１１５を形成して、ホースとの着脱を容易にする。
また、把持部１１０のホース接続部直近の端部には流路切換弁１４０の摘み部１４１を突出して、把持部１１０の外部から流路切換弁１４０を操作できるように形成する。
【００１６】
頭部１２０は、把持部１１０から流入した混合水が滞留する空間（空洞）１２０ａ（図３，４参照）を形成するとともに混合水が一様に吐出する吐出面を有するシャワープレート１２１を着脱自在に形成し、そのシャワープレート１２１の中央部にストレート吐出口１２２（図４参照）を設け、その周囲を囲むようにシャワー吐出口１２３（図４参照）を設け、ストレート吐出とシャワー吐出とを切り換える吐出切換弁１５０（図４参照）を内設し、その吐出切換弁１５０の操作部となる切換レバー１５１をシャワープレート１２１の外部に突出配置する。
【００１７】
この浄水機能付きシャワーヘッド１００は、水質浄化用カートリッジ１３０を把持部１１０に収容すると、図３，４に示すように、水質浄化用カートリッジ１３０の外周側流路１３１を浄水流路の一部とし、水質浄化用カートリッジ１３０の中央空間部１３２を原水流路の一部として利用できるようになる。
この場合の水質浄化用カートリッジ１３０は、中心軸と同心的に軸方向に長い貫通孔（中央空間部１３２）を設けて筒状に形成した活性炭を主成分とする水質浄化材１３３と、その外周面に不織布、スポンジまたは網等からなるフィルタ１３４を周設し、上流側と下流側の各端部には水質浄化材１３３の端面を密閉するとともに中央空間部１３２と外部とを連通する孔部を有する端部キャップ１３０ａ，１３０ｂを化合して、中央空間部１３２をカートリッジ外の流路と連通できるようにしたものである。
【００１８】
把持部１１０の頭部１２０側に位置する筒部１１１には、内部に水質浄化用カートリッジ１３０の下流側（頭部側）の端部キャップ１３０ｂに形成された嵌合部を差し込み固定する円筒状のカートリッジ受け１１６を突設し、このカートリッジ受け１１６に水質浄化用カートリッジ１３０の下流側の端部キャップ１３０ｂに形成された嵌合部を差し込むことによって水質浄化用カートリッジ１３０の一端部を位置固定できるようにして、把持部１１０に水質浄化用カートリッジ１３０を収容できるようにする。
【００１９】
また、把持部１１０のホース接続側に位置する筒部１１２には、流路切換弁１４０を設けた方の端部に、流路切換弁１４０の流出端（下流側の端部）に水質浄化用カートリッジ１３０の上流側（ホース側）の端部キャップ１３０ａに形成された嵌合部を差し込み固定する円筒状のカートリッジ受け１１７を突設し、このカートリッジ受け１１７に水質浄化用カートリッジ１３０の上流側の端部キャップ１３０ａに形成された嵌合部を差し込むことによって水質浄化用カートリッジ１３０を筒部１１２内に位置固定できるようにする。
【００２０】
そして、カートリッジ受け１１６の外周側の流路１１６ａは、水質浄化用カートリッジ１３０の外周側流路１３１と連通して原水流路の一部となり、さらにカートリッジ受け１１６の内面側の流路１１６ｂは水質浄化用カートリッジ１３０の中央空間部１３２と連通することにより、原水流路兼浄水流路の一部として利用される。
また、カートリッジ受け１１７の外周側の流路１１７ａは、水質浄化用カートリッジ１３０の外周側流路１３１と連通して原水流路の一部として利用され、さらにカートリッジ受け１１７の内面側の空間１１７ｂが水質浄化用カートリッジ１３０の中央空間部１３２と連通して原水流路の一部として利用される。
【００２１】
これにより、流路切換弁１４０の摘み部１４１を浄水吐出位置に合わせた浄水吐出の場合には、流路切換弁１４０が閉鎖状態となり、把持部１１０内に流入した混合水が、水質浄化用カートリッジ１３０の外周側流路１３１から水質浄化用カートリッジ１３０の水質浄化材１３３を通過して水質を浄化しつつ水質浄化材１３３の中央空間部１３２に流出して、カートリッジ受け１１６の内面側の流路１１６ｂを介して頭部１２０に形成された空間１２０ａに流出し、吐出切換弁１５０の選択に従って、空間１２０ａからストレート吐出口１２２またはシャワー吐出口１２３を介してシャワープレート１２１の外部に吐出する。
【００２２】
また、流路切換弁１４０の摘み部１４１を原水吐出位置に合わせた原水吐出の場合には、流路切換弁１４０が開放状態となり、把持部１１０内に流入した混合水が、水質浄化用カートリッジ１３０の中央空間部１３２を通過し、カートリッジ受け１１６の内面側の流路１１６ｂを介して頭部１２０に形成された空間１２０ａに流出し、吐出切換弁１５０の選択に従って、ストレート吐出口１２２またはシャワー吐出口１２３を介してシャワープレート１２１の外部に吐出する。
【００２３】
頭部１２０の内部に形成された空間１２０ａの下流側であって吐出切換弁１５０を収容する部分（吐出切換弁収容空間）の上流側には、空間１２０ａと吐出面上流側空間（吐出切換弁収容空間）１２０ｃとの間を仕切る仕切部材１２５を設け、その仕切部材１２５の円盤状仕切板１２５ａの中央部に集合通過部材１２６を設ける。
仕切部材１２５の下流側に設けられる吐出切換弁１５０は、その弁体１５０ａが集合通過部材１２６の直下に位置できるように配置する。
集合通過部材１２６および吐出切換弁１５０の弁体１５０ａが上下に配置された位置の、さらに下流側には、シャワープレート１２１に形成されたストレート吐出口１２２に連通するストレート吐出用流路形成部材１２７を立設する。
【００２４】
吐出切換弁１５０は、弁体１５０ａを集合通過部材１２６から僅かに隙間をあけた直近の下流に配置し、弁体１５０ａの下面をストレート吐出用流路形成部材１２７の上端に形成された開口１２７ａに接触できる直近の位置に配置して、ストレート吐出用流路形成部材１２７の蓋として上部から覆いかぶさることができるようにし、また、切換レバー１５１の操作によって弁体１５０ａが開口１２７ａの真上から弁体１５０ａの全体が開口１２７ａの位置から外れるまで出入り自在に回動できるように、切換レバー１５１の回動角度を設定する。
【００２５】
仕切部材１２５および吐出切換弁１５０を内蔵する頭部１２０は、図５，６に示すように、把持部側に筒部１１１を突出し、その突出した筒部１１１の先端部には嵌合用の円筒部１１３ａと雄ねじ１１３ｂとを外面側に形成して中継部１１３の雄側として筒部１１２とのねじ結合ができるようにし、さらに筒部１１１の内側にはカートリッジ受け１１６を突出する。そして、吐出側には頂部が曲面に形成され主要部が略円筒状に形成されて内部に特別な突出部が設けられていない空洞となっている頭部外皮１２０ｂを形成し、仕切板や吐出切換弁等を収容することができるようにする。
【００２６】
筒部１１１に中継部１１３を介してねじ結合ができるようにしたホース接続側の筒部１１２は、図７〜１０に示すように、ホース取付ねじ１１５を有するホース接続部１１４を設けた端部の直近の位置に、円筒状に形成した流路切換弁取付部１１２ａを外面上に立設し、流路切換弁取付部１１２ａに流路切換弁１４０に設けられた弁体１４２に直結された円柱部１４２ｅ（図１１，１３参照）を挿通して、円柱部１４２ｅを流路切換弁取付部１１２ａの軸線回りに回動できるようにし、そして、流路切換弁取付部１１２ａの外周面にＯリング溝１１２ｂを刻設して弁軸側からの漏れを防止できるようにし、さらに根元部には直方体の回動規制部１１２ｄを突設する。また、ホース接続部１１４を設けた端部と反対側に位置する端部には、内面側に雌ねじ１１３ｃと嵌合用の円筒内面１１３ｄとを形成して中継部１１３の雌側を形成する。
【００２７】
筒部１１２の内面側には、流路切換弁取付部１１２ａの軸対称位置に平板状の突起部１１２ｃを突出し、この突起部１１２ｃには弁体１４２に直結された弁軸１４２ｂ（図１１，１３参照）の下端部を当接することにより、弁軸１４２ｂの下端部を位置固定することができるようにする。
また、ホース接続部１１４の外周側には突起部１１４ａを、浄水機能付きシャワーヘッド１００を図示しない水栓本体のホルダ部（あるいはホース保持部）に嵌め込み支持する際の位置決め用リブとして突設する。
【００２８】
流路切換弁取付部１１２ａと突起部１１２ｃとにより弁体１４２が位置固定される流路切換弁１４０は、摘み部１４１と弁体１４２と弁座形成部材１４３とからなる。
このうち、弁体１４２は、図１１〜１３に示すように、開閉動作を行う弁体中央部を球形に形成し、その弁体１４２の中央部に貫通孔１４２ａを穿設し、その貫通孔１４２ａの軸線に対して垂直で球体表面からも垂直な方向に弁軸１４２ｂ，１４２ｃを延設する。
【００２９】
一方の弁軸１４２ｂは丸棒状に形成し、筒部１１２の内部で弁座形成部材１４３（図１６参照）と突起部１１２ｃとに挟持される弁体位置固定用の軸部材を形成する。他方の弁軸１４２ｃは先端部を断面形状が正方形の角棒状に形成し、その直近の弁体側に寄った位置に漏止め用のＯリング（図示せず）を取り付けられるようにしたＯリング溝１４２ｄを刻設し、このＯリング溝１４２ｄからさらに弁体側によった位置には弁座形成部材１４３の摘み嵌合部１４３ｄに形成された弁軸嵌合部１４３ｉ（図１６参照）に対する嵌合用の円柱部１４２ｅを形成する。そして、この弁軸１４２ｃの端面から貫通孔１４２ａ側へ向けて同軸的に貫通しない細く深い孔１４２ｆを穿設し、摘み部１４１を外嵌した後にねじ部品（図３参照）をねじ込むことにより、弁体１４２に摘み部１４１を結合できるようにする。
【００３０】
弁体１４２の弁体中央部が当接する弁座を設ける弁座形成部材１４３は、図１４〜１８に示すように、先端部にカートリッジ受け１１７を形成する小径の円筒部材１４３ａとそれより大径の略円筒部材１４３ｂとを、２枚の支持板１４３ｃと摘み嵌合部１４３ｄとにより周上略等間隔に３か所で支持することによって略二重円筒形状に形成し、各円筒間に形成された間隙を混合水の流路として利用できるように形成した流路形成部材として一体的に形成する。
【００３１】
弁座形成部材１４３の円筒部材１４３ａには軸方向中央部に厚肉平板状の弁座支持部１４３ｅを設け、弁座支持部１４３ｅの中央部に弁座流路としての貫通孔１４４を穿設し、この貫通孔１４４と同軸的に弁座シート取付用の嵌合部１４３ｆを形成してＮＢＲ（アクリロニトリルブタジエンゴム）等の熱湯から冷水までの範囲で利用できるゴム製の弁座シート（図３，４参照）を嵌め込み、弁体１４２の弁体中央部を当接して弁閉時に密封できるようにする。
弁座形成部材１４３は、略円筒部材１４３ｂの頂部１４３ｇを平面に形成し、その平面の向きは貫通孔１４４の中心軸に対して平行になる向きにする。略円筒部材１４３ｂの平面に形成された頂部１４３ｇから略円筒状の摘み嵌合部１４３ｄを垂下して円筒部材１４３ａの頂部に一体に結合する。
【００３２】
摘み嵌合部１４３ｄは、略円筒形に形成し、その内径側は摘み部嵌合孔１４３ｈとして必要な径に形成されており、下端部は摘み部嵌合孔１４３ｈよりも縮径されて弁軸側の円柱部１４２ｅを嵌合する弁軸嵌合部１４３ｉを形成する。
円筒部材１４３ａと略円筒部材１４３ｂとの下端部には、上流側の端面から弁体１４２が配設される略円筒部材１４３ｂの中央部まで、弁軸１４２ｂの嵌合孔と同心かつ同径の半円形に形成された終端部を有する溝１４３ｊ，１４３ｋをそれぞれ刻設して、弁体１４２の弁軸１４２ｂが終端部に嵌着されて筒部１１２の突起部１１２ｃとの間で挟持される（図３参照）ときに弁体１４２が所定の位置に配置されるようにする。
【００３３】
摘み部１４１は、図１９〜２２に示すように、上端部に指を掛けやすいように周上等間隔４か所に同じ曲率半径を有する円弧を描く凹部を側面に形成した指掛け部１４１ａと、その中央部には弁体１４２の孔１４２ｅにねじ込み弁体１４２と摘み部１４１を一体に結合するねじ部品（図３参照）を挿入する孔１４１ｂと、指掛け部１４１ａの一方の面から突出して筒部１１２に設けられた流路切換弁取付部１１２ａに外嵌する円筒状の外筒部１４１ｃと、外筒部１４１ｃと同じ面の中央部から突出して弁体１４２の先端部が角棒状に形成された弁軸１４２ｃに外嵌する略円筒状の弁軸接続部１４１ｄとからなる。
【００３４】
弁軸接続部１４１ｄは、指掛け部１４１ａ側の外表面から同心的に孔１４１ｂが穿設され、弁軸接続端側には弁軸１４２ｃに外嵌する弁軸外嵌孔１４１ｅが穿設され、その中間位置にはねじ部品の貫通孔１４１ｆが穿設される。
外筒部１４１ｃの先端部には、内面側に面取りして流路切換弁取付部１１２ａとのあたりを防止するとともに、その面取り部の一部を断面が矩形の溝１４１ｇに形成して拡径し、流路切換弁取付部１１２ａの根元部に突出した回動規制部１１２ｄ（図７参照）を外側から覆被して、溝１４１ｇの形成範囲につき回動できるようにする。
【００３５】
頭部１２０の内部に組み込まれる仕切部材１２５は、図２３〜２５に示すように、円盤状仕切板１２５ａの各面側の外周縁に短い円筒状の環状部材１２５ｂ，１２５ｃを突設し、円盤状仕切板１２５ａの中央部にシャワー吐出側またはストレート吐出側への入口部へ移行するための集合通過部材１２６（図２７参照）を嵌合する嵌合孔１２５ｄを穿設する。そして、外周縁の下側の環状部材１２５ｃには外周面に条数２の多条雄ねじ１２５ｅを形成してシャワープレート１２１を螺合できるようにし、ねじ形成箇所の上側にはＯリング溝１２５ｆを形成して漏れ止めできるようにする。
嵌合孔１２５ｄは、径が２段に分けられて、上部には円形の軸方向に対して同一径の孔が形成され、下部には軸方向下方に向けて縮径される孔に形成され、それらの中間には段差を設けて上方から集合通過部材１２６を嵌め込めるように形成する。
【００３６】
集合通過部材１２６は、図２６〜２８に示すように、鍔側の端面を浅く削り込んで外縁付き平面形にした有鍔円柱の円柱部１２６ａに、環状の溝１２６ｂを鍔側の浅く削り込んだ端面から軸方向に深くかつ貫通しない程度に刻設し、環状の溝１２６ｂの外周に外側の先端部が鍔部１２６ｄにまで達する多数の光芒１２６ｃを刻設し、この光芒１２６ｃを有する環状の溝１２６ｂを設けた円柱部１２６ａの外径を鍔部１２６ｄの外径よりも小さくして、光芒１２６ｃの外側の下端部が側方に開口した形状に形成する。
この集合通過部材１２６は円柱部１２６ａと鍔部１２６ｄの外形寸法を仕切部材１２５（図２４参照）の嵌合孔１２５ｄに嵌め込むことができる外径にし、円柱部１２６ａの側面に形成された開口が仕切部材１２５の嵌合孔１２５ｄに形成された下方に縮径される孔の位置に達するように軸方向の寸法を調節して、開口から径方向外下方へ流出する原水または浄水を縮径される孔により中心部下方に集中するように流出させる。
【００３７】
仕切部材１２５の下方に位置する吐出面形成部材としてのシャワープレート１２１は、図２９〜３２に示すように、平板状の円板部１２１ａとその外周縁を立ち上げて形成した張出部１２１ｂとを形成し、円板部１２１ａの中央部にストレート吐出口１２２を穿設し、このストレート吐出口１２２に隣接して吐出切換弁１５０の弁軸１５１ａ（図３６参照）を貫通させて軸支する軸孔１２４を穿設し、ストレート吐出口１２２と軸孔１２４とを除いた面のストレート吐出口１２２の周囲にシャワー吐出口１２３となる小孔を多数個略均等な間隔で穿設する。
【００３８】
このシャワープレート１２１は、各孔を穿設した円板部１２１ａの張出部形成側を混合水の流入側（上流側）とし、張出部１２１ｂの内周面側には条数が２の多条雌ねじ１２１ｃを形成して、仕切部材１２５に設けた多条雄ねじ１２５ｅに螺合できるようにする。
また、張出部１２１ｂの上端部の内側には拡径した段差部１２１ｄを設けてＯリング溝に対する押圧面を形成し、仕切部材１２５のＯリング溝１２５ｆに取り付けたＯリング（図３参照）を外側から押圧して仕切部材１２５との螺合時に漏止めができるようにする。
【００３９】
さらに、ストレート吐出口１２２の上部には、ストレート吐出用流路形成部材１２７（図３４参照）を嵌合させる凹部１２１ｅを設け、シャワープレート中央部にストレート吐出用流路形成部材１２７を立設して、ストレート吐出側の流路とシャワー吐出側の流路とを仕切ることができるようにする。
さらにまた、張出部１２１ｂの外周面には、軸孔１２４を設けた位置の外周側に、軸孔穿設位置の外周面を挟むように２つの突出部１２１ｆ，１２１ｆを突設し、吐出切換弁１５０の弁軸１５１ａが軸孔１２４を貫通して軸支されて切換レバー１５１が２つの突出部１２１ｆ，１２１ｆの間に設けられたとき、切換レバー１５１の操作範囲を２つの突出部１２１ｆ，１２１ｆの間隔によって与えられた回動角に規制できるようにする。
【００４０】
シャワープレート中央部に立設するストレート吐出用流路形成部材１２７は、図３３〜３５に示すように、上端縁が内面側に縮径された端部を有する円筒形状に形成され、円筒部の内部がストレート吐出流路として利用される。上端に形成された弁座流路としての開口１２７ａの開口径が円筒部分の内径よりも小さくなるように形成して、吐出切換弁１５０の弁体１５０ａ（図３７参照）を載置し易くする。また、下端部の外径はシャワープレート１２１の中央部に形成された凹部１２１ｅの内径に嵌合できる大きさを有し、嵌合後に中央部に立設できるように嵌合状態が緊密になるように形成する。
【００４１】
吐出切換弁１５０は、図３６〜３８に示すように、シャワープレート１２１の円板部１２１ａを貫通して軸回りに回動自在に支持される弁軸１５１ａを一体に設けた切換レバー１５１と、集合通過部材１２６とストレート吐出用流路形成部材１２７との間に設けられた隙間に配置できるように上面を浅い凹面に形成した薄い皿状に形成した弁体１５０ａとに分割される。
【００４２】
切換レバー１５１は、弁軸１５１ａに対して垂直な方向にレバー部１５１ｂを延設し、その操作片であるレバー部１５１ｂの先端にレバー回動方向に対して略垂直な面を形成する指掛け部１５１ｃには両面側にそれぞれ凹部１５１ｄを形成して指の係止を容易にする。弁軸１５１ａの先端には、弁体側に形成された嵌合孔１５０ｄ（図３８参照）に挿入して弁体１５０ａと結合し、結合後の抜けを防止するための拡張側に付勢されている断面が矩形に形成された弾性係止部１５１ｅ，１５１ｅを突出させる。
【００４３】
弁体１５０ａは、上面を浅い凹面に形成した薄い皿状に形成し、下面を板厚分長くした曲率半径で湾曲した凸面に皿部１５０ｂを形成し、この皿部１５０ｂから一方向へアーム部１５０ｃを延設し、このアーム部１５０ｃの先端部に弁軸側の弾性係止部１５１ｅ，１５１ｅを挿入して内嵌する矩形断面の嵌合孔１５０ｄを穿設した軸結合部１５０ｅとからなる。
【００４４】
弁軸１５１ａ側の弾性係止部１５１ｅ，１５１ｅを軸結合部１５０ｅの嵌合孔１５０ｄに挿入する際、シャワープレート１２１に形成された軸孔１２４に外方（下流側）から弾性係止部１５１ｅ，１５１ｅを挿入して、軸孔１２４に弁軸１５１ａを嵌合し、その後、弁体１５０ａ側の嵌合孔１５０ｄに弾性係止部１５１ｅ，１５１ｅを抜け防止可能になるまで挿入して、弁体１５０ａと切換レバー１５１とをシャワープレート１２１に組み付けるとともに吐出切換弁１５０の可動部材を一体に結合して形成する。
【００４５】
〔作用効果〕
このように構成した第１実施形態においては、流路切換弁１４０の摘み部１４１を回動することによって浄水と原水とを切り換えることができ、また、浄水と原水との切換えとは独立に、吐出切換弁１５０の切換レバー１５１を操作することによってストレート吐出とシャワー吐出とを切り換えることができるようになる。
【００４６】
いま、図３，４に示すように流路切換弁１４０が閉状態にある場合、ホース接続部１１４側から混合水が流入してくると、弁座形成部材１４３の円筒部材１４３ａと略円筒部材１４３ｂとの間を通過し、カートリッジ受け１１７の外周側から水質浄化用カートリッジ１３０の外周側流路１３１を流れ、水質浄化用カートリッジ１３０の外周側から水質浄化材１３３を透過して水質を浄化し、浄化された混合水は中央空間部１３２に流出し、この中央空間部１３２から頭部１２０側に直結されたカートリッジ受け１１６の内面側の流路１１６ｂを介して頭部１２０の空間１２０ａに流出し、この空間１２０ａから集合通過部材１２６を介して吐出切換弁１５０の設定に従ってストレート吐出またはシャワー吐出する。
【００４７】
次に、流路切換弁１４０の摘み部１４１を必要角度回動して、閉状態から開状態に変更した場合、図３９，４０に示すように弁体の球形に形成された弁体中央部に設けられた貫通孔１４２ａが流路切換弁１４０の上流側と下流側とを連通し、ホース接続部１１４側から流入してくる混合水が、貫通孔１４２ａを介して弁座形成部材１４３に設けられた円筒部材１４３ａの内面側の空間１１７ｂおよび水質浄化用カートリッジ１３０の両端部に設けられた接続部と中央空間部１３２を通過し、カートリッジ受け１１６の内面側の流路を介して頭部１２０の空間１２０ａに流出し、この空間１２０ａから集合通過部材１２６を介して吐出切換弁１５０の設定に従ってストレート吐出またはシャワー吐出する。
【００４８】
また、吐出切換弁１５０の操作についても、流路切換弁１４０の操作とは独立にでき、ストレート吐出とシャワー吐出とを任意に設定することができる。
切換レバー１５１を操作して弁軸１５１ａの軸心を中心にしてストレート吐出側に回動すると、弁体１５０ａがストレート吐出用流路形成部材１２７の開口１２７ａの位置から外れ、集合通過部材１２６から流出する混合水がストレート吐出用流路形成部材１２７の開口１２７ａへ流入し、ストレート吐出用流路形成部材１２７の内部を通過してストレート吐出口１２２から吐出するようになる。
【００４９】
さらに、切換レバー１５１がストレート吐出側に設定されている場合に、切換レバー１５１を反対方向へ操作して、弁軸１５１ａの軸心を中心にしてシャワー吐出側に回動すると、弁体１５０ａの皿部１５０ｂがストレート吐出用流路形成部材１２７の開口１２７ａの上部に位置して開口１２７ａを塞ぎ、集合通過部材１２６から流出する混合水が弁体１５０ａの皿部１５０ｂに阻まれてストレート吐出用流路形成部材１２７の周囲に流出し、仕切部材１２５とシャワープレート１２１によって形成された吐出面上流側空間１２０ｃを介してシャワー吐出口１２３から吐出するようになる。
【００５０】
これにより、流路切換弁１４０の摘み部１４１を回動することにより、浄水吐出と原水吐出とが容易に切り換えることができ、浄水吐出時には、混合水が水質浄化用カートリッジ１３０の外周側流路１３１から中央空間部１３２へ通過する際に浄化されるようになる。これに加えて、吐出切換弁１５０が流路切換弁１４０と完全に独立しているため、原水と浄水のどちらが吐出される場合であっても、ストレート吐出またはシャワー吐出のいずれかを選択して吐出することができ、４種類の利用可能な形態が選択できるようになる。
【００５１】
〔第２実施形態〕
前記第１実施形態においては、流路切換弁１４０が把持部１１０のホース接続側の端部（水質浄化用カートリッジの上流側）に設けられ、水質浄化用カートリッジは混合水が外周部から中心部に向けて通過することにより浄化されていたが、この第２実施形態では、流路切換弁１４０は頭部１２０に直結されている筒部１１１（水質浄化用カートリッジの下流側）に設け、水質浄化用カートリッジでは混合水が中心部から外周部に向けて通過して浄化されるように形成する。
以下の説明では、各部材の符号は２００番台の番号にして第１実施形態と識別することにし、また、流路切換弁の構成に係る部材以外の部材については、第１実施形態と同じ構成にするとともに符号を２００番台の下２桁の番号を同じにして説明を省略する。
【００５２】
〔構成〕
浄水機能付きシャワーヘッド２００は、図４１，４２の外観図に示すように、図示しない混合水栓のホースに取付けできる端部を有する把持部２１０と、この把持部２１０のホース取付側とは反対側の端部でシャワー吐出することができるようにした頭部２２０とを備える。
【００５３】
把持部２１０は、中間部で頭部２２０側に直結した筒部２１１とホース取付側の筒部２１２とに分け、これらを着脱自在かつ一体的に組み合わせることができるようにするねじ結合部を形成した中継部２１３を設け、この中継部２１３の螺合を解除して筒部２１１と筒部２１２を分離することにより、把持部２１０の内部に水質浄化用カートリッジ２３０（図４３，４４参照）を収容することができるようにし、そして、ホース取付側の端部には厚肉円筒状のホース接続部２１４を設け、その先端部にホース取付ねじ２１５を形成して、ホースとの着脱を容易にする。
また、把持部２１０の筒部２１１の上端部には流路切換弁２４０の摘み
を突出して、把持部２１０の外部から流路切換弁２４０を操作できるように形成する。
【００５４】
頭部２２０は、把持部２１０から流入した混合水が滞留する空間（空洞）２２０ａ（図４３，４４参照）を形成するとともに混合水が一様に吐出する吐出面を有するシャワープレート２２１を着脱自在に形成し、そのシャワープレート２２１の中央部にストレート吐出口２２２（図４３参照）を設け、その周囲を囲むようにシャワー吐出口２２３（図４３参照）を設け、ストレート吐出とシャワー吐出とを切り換える吐出切換弁２５０を内設し、その吐出切換弁２５０の操作部となる切換レバー２５１をシャワープレート２２１の外部に突出配置する。
【００５５】
この浄水機能付きシャワーヘッド２００は、水質浄化用カートリッジ２３０を把持部２１０に収容すると、図４３，４４に示すように、水質浄化用カートリッジ２３０の外周側流路２３１を浄水流路の一部とし、水質浄化用カートリッジ２３０の中央空間部２３２を原水流路の一部として利用することができる。
この場合の水質浄化用カートリッジ２３０は、中心軸と同心的に軸方向に長い貫通孔（中央空間部２３２）を設けて筒状に形成した活性炭を主成分とする水質浄化材２３３と、その内周面に不織布、スポンジまたは網等からなるフィルタ２３４を周設し、上流側の端部には水質浄化材２３３の端面に中央空間部２３２と連通する孔部を有する端部キャップ２３０ａを嵌合し、下流側の端部にも中央空間部２３２と連通する孔部を有する端部キャップ２３０ｂを嵌合して、中央空間部２３２をカートリッジ前後の流路と連通できるようにする。
【００５６】
把持部２１０の頭部２２０側に位置する筒部２１１には、流路切換弁２４０を設けた位置の下流側に弁体２４２（図５３，５５参照）の弁体中央部に設けられた球形部分が当接する弁体抑え２１８を突設して弁座と同様の当接部を形成し、流路切換弁２４０の上流側に弁体２４２の球形部分に当接する弁座シートを備えた弁座形成部材２４３を設けて、弁体２４２を位置固定できるようにする。
そして、弁座形成部材２４３の上流側端部には水質浄化用カートリッジ２３０の下流側の端部キャップ２３０ｂに形成された嵌合部を差し込み固定する円筒状のカートリッジ受け２１６を突設し、このカートリッジ受け２１６に水質浄化用カートリッジ２３０の下流側の端部キャップ２３０ｂに形成された嵌合部を差し込むことによって水質浄化用カートリッジ２３０の下流側の端部を筒部２１１内に位置固定できるようにする。
【００５７】
また、把持部２１０のホース接続側に位置する筒部２１２には、ホース接続側に位置する端部の内部に水質浄化用カートリッジ２３０の上流側（ホース接続側）の端部キャップ２３０ａに形成された嵌合部を差し込み固定する円筒状のカートリッジ受け２１７を突設し、このカートリッジ受け２１７に水質浄化用カートリッジ２３０の上流側の端部キャップ２３０ａに形成された嵌合部を差し込むことによって水質浄化用カートリッジ２３０の上流側の端部を位置固定できるようにして、把持部２１０に水質浄化用カートリッジ２３０を筒部２１２内に位置固定できるようにする。
【００５８】
カートリッジ受け２１６の外周側の流路２１６ａは、水質浄化用カートリッジ２３０の外周側流路２３１と連通して浄水流路の一部となり、さらにカートリッジ受け２１６の内面側の空間２１６ｂは水質浄化用カートリッジ２３０の中央空間部２３２と連通することにより、原水流路の一部として利用される。
また、カートリッジ受け２１７の外周側の流路２１７ａは、水質浄化用カートリッジ２３０の外周側流路２３１と連通して浄水流路の一部として利用され、さらにカートリッジ受け２１７の内面側の流路２１７ｂが水質浄化用カートリッジ２３０の中央空間部２３２と連通して原水流路の一部として利用される。
【００５９】
これにより、流路切換弁２４０の摘み部２４１を浄水吐出位置に合わせた浄水吐出の場合には、流路切換弁２４０が閉鎖状態となり、把持部２１０内に流入した混合水が、水質浄化用カートリッジ２３０の中央空間部２３２から水質浄化用カートリッジ２３０の水質浄化材２３３を通過して水質を浄化しつつ外周側流路２３１に流出して、カートリッジ受け２１６の外周側の流路２１６ａを介して頭部２２０に形成された空間２２０ａに流出し、吐出切換弁２５０の選択に従って、空間２２０ａからストレート吐出口２２２またはシャワー吐出口２２３を介してシャワープレート２２１の外部に吐出する。
【００６０】
また、流路切換弁２４０の摘み部２４１を原水吐出位置に合わせた原水吐出の場合には、流路切換弁２４０が開放状態となり、把持部２１０内に流入した混合水が、水質浄化用カートリッジ２３０の中央空間部２３２を通過し、カートリッジ受け２１６の内面側の空間２１６ｂを介して頭部２２０に形成された空間２２０ａに流出し、吐出切換弁２５０の選択に従って、ストレート吐出口２２２またはシャワー吐出口２２３を介してシャワープレート２２１の外部に吐出する。
【００６１】
頭部２２０の内部に形成された空間２２０ａの下流側であって吐出切換弁２５０を収容する部分（吐出切換弁収容空間）の上流側には、空間２２０ａと吐出面上流側空間（吐出切換弁収容空間）２２０ｃとの間を仕切る仕切部材２２５を設け、その仕切部材２２５の円盤状仕切板２２５ｂの中央部に集合通過部材２２６を設ける。
仕切部材２２５の下流側に設けられる吐出切換弁２５０の弁体２５０ａは、その弁体２５０ａが集合通過部材２２６の直下に位置できるように配置する。
集合通過部材２２６および吐出切換弁２５０の弁体２５０ａが上下に配置された位置の、さらに下流側には、シャワープレート２２１に形成されたストレート吐出口２２２に連通するストレート吐出用流路形成部材２２７を立設する。
【００６２】
吐出切換弁２５０は、弁体２５０ａが仕切部材２２５の下流側で集合通過部材２２６から僅かに隙間をあけた直近の下流に配置され、弁体２５０ａの下面をストレート吐出用流路形成部材２２７の上端に形成された弁座流路としての開口２２７ａに接触できる直近の位置に配置して、ストレート吐出用流路形成部材２２７の蓋として上部から覆いかぶさることができるようにし、また、切換レバー２５１の操作によって弁体２５０ａが開口２２７ａの真上から弁体２５０ａの全体が開口２２７ａの位置から外れるまでの間を出入り自在にできるように、切換レバー２５１の回動角度を設定する。
【００６３】
頭部２２０は、図４５〜４８に示すように、把持部側に筒部２１１を突出し、その突出した筒部２１１の先端部には嵌合用の円筒部２１３ａと雄ねじ２１３ｂとを外面側に形成して中継部２１３の雄側として筒部２１２とのねじ結合ができるようにし、そして、吐出側には頂部が曲面に形成され主要部が略円筒状に形成されて内部に特別な突出部が設けられていない空洞となっている頭部外皮２２０ｂを形成し、仕切板や吐出切換弁等を収容することができるようにする。
【００６４】
頭部２２０から突出した筒部２１１の頭頂部側の周面上に平面状の基部２１１ａを形成し、この基部２１１ａから円筒状に形成した流路切換弁取付部２１１ｂを立設し、この流路切換弁取付部２１１ｂの外周面にＯリング溝２１１ｃを刻設し、そして、流路切換弁取付部２１１ｂに流路切換弁２４０に設けられた弁体２４２に直結された円柱部２４２ｅ（図５３，５５参照）を挿通して、円柱部２４２ｅを流路切換弁取付部２１１ｂの軸線回りに回動できるようにし、さらに基部２１１ａには直方体の回動規制部２１１ｄを突設する。
【００６５】
頭部２２０から突出した筒部２１１の内側には、端部内面を弁体球形部の球面形状に合わせた曲面２１８ａを形成するとともに端縁から軸方向に向けて弁軸が回動自在に当接するように平面形状を半円状に刻設した軸受溝２１８ｂを形成し、把持部２１０の軸方向と同軸的な円筒形に形成した弁体抑え２１８を突設し、その弁体抑え２１８の内側には、頭部外皮２２０ｂを貫通する孔２２０ｄを穿設して流路切換弁２４０の下流から頭部２２０に設けられた空間２２０ａへ流出する原水流路を形成し、また、弁体抑え２１８が突出した位置の外周側には、両側方に、頭部外皮２２０ｂを貫通する孔２２０ｅ，２２０ｅを穿設して把持部２１０から頭部２２０に設けられた空間２２０ａへ流出する浄水流路を形成する。
【００６６】
筒部２１２の内面側には、ホース接続側の端部に円筒形状のカートリッジ受け２１７を端面から軸方向に突出し、水質浄化用カートリッジ２３０の上流側の端部をカートリッジ受け２１７に内嵌することによって位置固定できるようにし、また、ホース接続部２１４を設けた端部と反対側に位置する端部には、内面側に雌ねじ２１３ｃと嵌合用の円筒内面２１３ｄとを形成して中継部２１３の雌側を形成して、中継部２１３の雄側を形成している筒部２１１側の雄ねじ２１３ｂを螺合することにより、把持部２１０の筒部２１１と筒部２１２とを一体に組み合わせることができるようにする。
また、ホース接続部２１４の外周側には突起部２１４ａを、浄水機能付きシャワーヘッド１００を図示しない水栓本体のホルダ部（あるいはホース保持部）に嵌め込み支持する際の位置決め用リブとして突設する。
【００６７】
流路切換弁２４０は、摘み部２４１と弁体２４２と弁座形成部材２４３とからなる。
このうち、弁体２４２は、図５３〜５５に示すように、開閉動作を行う弁体中央部を球形に形成し、その弁体２４２の中央部に貫通孔２４２ａを穿設し、その貫通孔２４２ａの軸線に対して垂直で球体表面からも垂直な方向に弁軸２４２ｂ，２４２ｃを延設する。
【００６８】
球状に形成された弁体中央部に対して一方の側に突出した弁軸２４２ｂは丸棒状に形成し、筒部２１１の内部で弁座形成部材２４３（図５８参照）と弁体抑え２１８とに挟持される弁体位置固定用の軸部材を形成する。他方の側に突出した弁軸２４２ｃは先端部を断面形状が正方形の角棒状に形成し、その直近の弁体側に寄った位置に漏止め用のＯリング（図示せず）を取り付けられるようにしたＯリング溝２４２ｄを刻設し、このＯリング溝２４２ｄからさらに弁体側によった位置には弁座形成部材２４３の摘み嵌合部２４３ｄに形成された弁軸嵌合部２４３ｉ（図５８参照）に対する嵌合用の円柱部２４２ｅを形成する。
そして、この弁軸２４２ｃの端面から貫通孔２４２ａ側へ向けて同軸的に貫通しない細く深い孔２４２ｆを穿設し、摘み部２４１を外嵌した後にねじ部品（図３参照）をねじ込むことにより、弁体２４２に摘み部２４１を結合できるようにする。
【００６９】
弁座形成部材２４３は、図５６〜５９に示すように、流路の上流側に位置する先端部にカートリッジ受け２１６を形成する小径の円筒部材２４３ａとそれより大径の略円筒部材２４３ｂとを、２枚の支持板２４３ｃと摘み嵌合部２４３ｄとにより、周上略等間隔に３か所で支持することによって略二重円筒形状に形成し、各円筒間に形成された間隙を混合水の流路として利用できるように形成した流路形成部材を一体的に形成する。
【００７０】
弁座形成部材２４３の円筒部材２４３ａには軸方向中央部に厚肉平板状の弁座支持部２４３ｅを設け、弁座支持部２４３ｅの中央部に弁座流路としての貫通孔２４４を穿設し、この貫通孔２４４と同軸的に弁座シート取付用の嵌合部２４３ｆを形成してＮＢＲ等の熱湯から冷水までの範囲で利用できるゴム製の弁座シート（図３，４参照）を嵌め込み、弁体２４２の弁体中央部を当接して弁閉時に密封できるようにする。
弁座形成部材２４３は、略円筒部材２４３ｂの頂部２４３ｇを平面に形成し、その平面の向きは貫通孔２４４の中心軸にに対して平行になる向きにする。略円筒部材２４３ｂの平面に形成された頂部２４３ｇから略半円筒状の摘み嵌合部２４３ｄを垂下して円筒部材２４３ａの周面頂部に一体に結合する。
【００７１】
摘み嵌合部２４３ｄは、略半円筒形に形成し、その内径側は半円筒形の摘み部嵌合孔２４３ｈとして必要な径に形成されており、下端部は摘み部嵌合孔２４３ｈよりも縮径されて弁軸側の円柱部２４２ｅを嵌合する半円筒形の弁軸嵌合部２４３ｉを形成する。
円筒部材２４３ａの下端部には、下流側の端面から弁体２４２が配設される略円筒部材２４３ｂの中央部まで、弁軸２４２ｂの嵌合孔と同心かつ同径の半円形に形成された終端部を有する溝２４３ｊを刻設して、弁体２４２の弁軸２４２ｂが終端部に嵌着されて筒部２１２の突起部２１２ｃとの間で挟持される（図３参照）ときに弁体２４２が所定の位置に配置されるようにする。
【００７２】
摘み部２４１は、図６０〜６３に示すように、上端部に指を掛けやすいように周上等間隔４か所に同じ曲率半径を有する円弧を描く凹部を側面に形成した指掛け部２４１ａと、その中央部には弁体２４２の孔２４２ｅにねじ込み弁体２４２と摘み部２４１を一体に結合するねじ部品（図３参照）を挿入する孔２４１ｂと、指掛け部２４１ａの一方の面から突出して筒部２１１に設けられた流路切換弁取付部２１１ｂに外嵌する円筒状の外筒部２４１ｃと、外筒部２４１ｃと同じ面の中央部から突出して弁体２４２の先端部が角棒状に形成された弁軸２４２ｃに外嵌する略円筒状の弁軸接続部２４１ｄとからなる。
【００７３】
弁軸接続部２４１ｄは、指掛け部２４１ａ側の外表面から同心的に孔２４１ｂが穿設され、弁軸接続端側には弁軸２４２ｃに外嵌する弁軸外嵌孔２４１ｅが穿設され、その中間位置にはねじ部品の貫通孔２４１ｆが穿設される。
外筒部２４１ｃの先端部には、内面側に面取りして流路切換弁取付部２１１ｂとのあたりを防止するとともに、その面取り部の一部を断面が矩形の溝２４１ｇに形成して拡径し、流路切換弁取付部２１１ｂの根元部に突出した回動規制部２１１ｄ（図７参照）を外側から覆被して、溝２４１ｇの形成範囲につき回動できるようにする。
【００７４】
頭部２２０の内部に組み込まれる仕切部材２２５、集合通過部材２２６、吐出面形成部材としてのシャワープレート２２１、および切換レバー２５１を有する吐出切換弁２５０は、第１実施形態のものを特に変更すること無くそのまま利用する。
【００７５】
〔作用効果〕
このように構成した第２実施形態においては、流路切換弁２４０の摘み部２４１を回動することによって浄水と原水とを切り換えることができ、また、浄水と原水との切換えとは独立に、吐出切換弁２５０の切換レバー２５１を操作することによってストレート吐出とシャワー吐出とを切り換えることができるようになる。
【００７６】
いま、図４３，４４に示すように流路切換弁２４０が閉状態にある場合、ホース接続部２１４側から混合水が流入してくると、カートリッジ受け２１７の内面側の流路２１７ｂから水質浄化用カートリッジ２３０の中央空間部２３２に流入し、この中央空間部２３２から水質浄化材２３３を透過して外周側流路２３１に流出して、この間に水質が浄化され、浄化された混合水は弁座形成部材２４３の円筒部材２４３ａと略円筒部材２４３ｂとの間を通過して頭部２２０の空間２２０ａに流出し、この空間２２０ａから集合通過部材２２６を介して吐出切換弁２５０の設定に従ってストレート吐出またはシャワー吐出する。
【００７７】
次に、流路切換弁２４０の摘み部２４１を必要角度回動して、閉状態から開状態に変更した場合には、図６４，６５に示すように弁体の球形に形成された弁体中央部に設けられた貫通孔２４２ａが流路切換弁２４０の上流側と下流側とを連通し、ホース接続部２１４側から流入してくる混合水が、カートリッジ受け２１７の内面側の流路２１７ｂを介して水質浄化用カートリッジ２３０の中央空間部２３２を通過し、カートリッジ受け２１６の内面側の空間２１６ｂを介して流路切換弁２４０の貫通孔２４２ａを通過し、さらに弁体抑え２１８の内面側を通過して頭部２２０の空間２２０ａに流出し、この空間２２０ａから集合通過部材２２６を介して吐出切換弁２５０の設定に従ってストレート吐出またはシャワー吐出する。
【００７８】
また、吐出切換弁２５０の操作についても、流路切換弁２４０の操作とは独立にでき、ストレート吐出とシャワー吐出とを任意に設定することができる。
例えば、切換レバー２５１を操作して弁軸２５１ａの軸心を中心にしてストレート吐出側に回動すると、弁体２５０ａがストレート吐出用流路形成部材２２７の開口２２７ａの位置から外れ、集合通過部材２２６から流出する混合水がストレート吐出用流路形成部材２２７の開口２２７ａへ流入し、ストレート吐出用流路形成部材２２７の内部を通過してストレート吐出口２２２から吐出するようになる。
【００７９】
さらに、切換レバー２５１がストレート吐出側に設定されている場合に、切換レバー２５１を反対方向へ操作して、弁軸２５１ａの軸心を中心にしてシャワー吐出側に回動すると、弁体２５０ａの皿部２５０ｂがストレート吐出用流路形成部材２２７の開口２２７ａの上部に位置して開口２２７ａを塞ぎ、集合通過部材２２６から流出する混合水が弁体２５０ａの皿部２５０ｂに阻まれてストレート吐出用流路形成部材２２７の周囲に流出し、仕切部材２２５とシャワープレート２２１によって形成された吐出面上流側空間２２０ｃを介してシャワー吐出口２２３から吐出するようになる。
【００８０】
これにより、水質浄化用カートリッジ２３０の下流側に流路切換弁２４０を設けた場合であっても、原水と浄水のいずれも容易に選択できるようになり、吐出切換弁２５０との組合せにより、原水と浄水のいずれもストレート吐出またはシャワー吐出することができるようになる。
さらに、原水吐出時には、水質浄化材２３３よりも上流側の流路が原水と浄水との共用流路となって、フィルタ２３４で被われた水質浄化材２３３の内面側を通過する混合水によって、浄水吐出時にフィルタ２３４の表面に溜まった蓄積物が洗い流されて、目詰りを起こりにくくするとともに水質浄化材２３３の劣化を防止して、長期間、水質浄化性能を高レベルに維持できるようになる。
【００８１】
〔第３実施形態〕
前記第２実施形態においては、流路切換弁２４０が頭部２２０に直結されている筒部２１１（水質浄化用カートリッジの下流側）に設けられ、水質浄化用カートリッジでは混合水が中心部から外周部に向けて通過して浄化されるようになっていたが、この第３実施形態では、同じ流路切換弁３４０の配置位置で、混合水が水質浄化用カートリッジの外周部から中心部に向けて通過することにより浄化されるように、水質浄化用カートリッジ３３０に対する流れを変えたものに変更する。
以下の説明では、各部材の符号は３００番台の番号にして第２実施形態と識別することにし、また、流路切換弁の構成に係る部材以外の部材については、第２実施形態と同じ構成にするとともに符号を３００番台の下２桁の番号を同じにして説明を省略する。
【００８２】
〔構成〕
浄水機能付きシャワーヘッド３００は、図６６，６７に示すように、図示しない混合水栓のホースに取付けできる端部を有する把持部３１０と、この把持部３１０のホース取付側とは反対側の端部でシャワー吐出することができるようにした頭部３２０とを備える。
【００８３】
把持部３１０は、中間部で頭部３２０側に直結した筒部３１１とホース取付側の筒部３１２とに分け、これらを着脱自在かつ一体的に組み合わせることができるようにするねじ結合部を形成した中継部３１３を設け、この中継部３１３の螺合を解除して筒部３１１と筒部３１２を分離することにより、把持部３１０の内部に水質浄化用カートリッジ３３０を収容することができるようにし、そして、ホース取付側の端部には厚肉円筒状のホース接続部３１４を設け、その先端部にホース取付ねじ３１５を形成して、ホースとの着脱を容易にする。
また、把持部３１０の筒部３１１の上端部には流路切換弁３４０の摘み部３４１を突出して、把持部３１０の外部から流路切換弁３４０を操作できるように形成する。
【００８４】
頭部３２０は、把持部３１０から流入した混合水が滞留する空間（空洞）３２０ａを形成するとともに混合水が一様に吐出する吐出面を有するシャワープレート３２１を着脱自在に形成し、そのシャワープレート３２１の中央部にストレート吐出口３２２を設け、その周囲を囲むようにシャワー吐出口３２３を設け、ストレート吐出とシャワー吐出とを切り換える吐出切換弁３５０を内設し、その吐出切換弁３５０の操作部となる切換レバー３５１をシャワープレート３２１の外部に突出配置する。
【００８５】
この浄水機能付きシャワーヘッド３００は、水質浄化用カートリッジ３３０を把持部３１０に収容すると、水質浄化用カートリッジ３３０の外周側流路３３１を原水流路の一部とし、水質浄化用カートリッジ３３０の中央空間部３３２を浄水流路の一部として利用することができる。
この場合の水質浄化用カートリッジ３３０は、中心軸と同心的に軸方向に長い貫通孔（中央空間部３３２）を設けて筒状に形成した活性炭を主成分とする水質浄化材３３３と、その外周面に不織布、スポンジまたは網等からなるフィルタ３３４を周設し、上流側の端部には水質浄化材３３３の端面を密閉する端部キャップ３３０ａを外嵌し、下流側の端部には水質浄化材３３３の端面に中央空間部３３２と連通する孔部を有する端部キャップ３３０ｂを嵌合して、中央空間部３３２を下流側の通路と連通するように形成する。
【００８６】
把持部３１０の頭部３２０側に位置する筒部３１１には、流路切換弁３４０を設けた位置の下流側に、弁体３４２の弁体中央部に設けられた球形部分が当接する弁体抑え３１８を突設して弁座と同様の当接部を形成し、流路切換弁３４０の上流側に弁体３４２の球形部分に当接する弁座シートを備えた弁座形成部材３４３を設けて、弁体３４２を位置固定できるようにする。
そして、弁座形成部材３４３の上流側端部には水質浄化用カートリッジ３３０の下流側の端部キャップ３３０ｂに形成された嵌合部を差し込み固定する円筒状のカートリッジ受け３１６を突設し、このカートリッジ受け３１６に水質浄化用カートリッジ３３０の下流側の端部キャップ３３０ｂに形成された嵌合部を差し込むことによって水質浄化用カートリッジ３３０の下流側の端部を筒部３１１内に位置固定できるようにする。
【００８７】
水質浄化用カートリッジ３３０の下流側に位置するカートリッジ受け３１６の外周側の流路３１６ａは、水質浄化用カートリッジ３３０の外周側流路３３１と連通して原水流路の一部となり、さらにカートリッジ受け３１６の内面側の空間３１６ｂは水質浄化用カートリッジ３３０の中央空間部３３２と連通することにより、浄水流路の一部として利用される。
【００８８】
また、把持部３１０のホース接続側に位置する筒部３１２には、ホース接続側に位置する端部の内部に、水質浄化用カートリッジ３３０の上流側（ホース接続側）の端部キャップ３３０ａを支持する複数のリブ３１２ａ，…，３１２ａを突設し、このリブ３１２ａ，…，３１２ａにより水質浄化用カートリッジ３３０の上流側の端部を支持し位置固定できるようにして、把持部３１０に水質浄化用カートリッジ３３０を筒部３１２内で略同心的に位置固定できるようにする。
【００８９】
これにより、流路切換弁３４０の摘み部３４１を浄水吐出位置に合わせた浄水吐出の場合には、流路切換弁３４０が閉鎖状態となり、把持部３１０内に流入した混合水が、水質浄化用カートリッジ３３０の外周側流路３３１からフィルタ３３４および水質浄化材３３３を通過して水質を浄化しつつ中央空間部３３２に流出して、カートリッジ受け３１６の内面側の流路３１６ｂおよび流路３４５を介して頭部３２０に形成された空間３２０ａに流出し、吐出切換弁３５０の選択に従って、空間３２０ａからストレート吐出口３２２またはシャワー吐出口３２３を介してシャワープレート３２１の外部に吐出する。
【００９０】
また、流路切換弁３４０の摘み部３４１を原水吐出位置に合わせた原水吐出の場合には、流路切換弁３４０が開放状態となり、把持部３１０内に流入した混合水が、水質浄化用カートリッジ３３０の外周側流路３３１を通過し、カートリッジ受け３１６の外周側の流路３１６ａおよび導水路３４４を介して弁体３４２に穿設された孔を通過し、頭部外皮３２０ｂを貫通する孔３２０ｄを通過して、頭部３２０に形成された空間３２０ａに流出し、吐出切換弁３５０の選択に従って、ストレート吐出口３２２またはシャワー吐出口３２３を介してシャワープレート３２１の外部に吐出する。
【００９１】
頭部３２０の内部に形成された空間３２０ａの下流側であって吐出切換弁３５０を収容する部分（吐出切換弁収容空間）の上流側には、空間３２０ａと吐出面上流側空間（吐出切換弁収容空間）３２０ｃとの間を仕切る仕切部材３２５を設け、その仕切部材３２５の円盤状仕切板３２５ａの中央部に集合通過部材３２６を設ける。
仕切部材３２５の下流側に設けられる吐出切換弁３５０の弁体３５０ａは、その弁体３５０ａが集合通過部材３２６の直下に位置できるように配置する。
集合通過部材３２６および吐出切換弁３５０の弁体３５０ａが上下に配置された位置の、さらに下流側には、シャワープレート３２１に形成されたストレート吐出口３２２に連通するストレート吐出用流路形成部材３２７を立設する。
【００９２】
吐出切換弁３５０は、弁体３５０ａが仕切部材３２５の下流側で集合通過部材３２６から僅かに隙間をあけた直近の下流に配置され、弁体３５０ａの下面をストレート吐出用流路形成部材３２７の上端に形成された弁座流路としての開口３２７ａに接触できる直近の位置に配置して、ストレート吐出用流路形成部材３２７の蓋として上部から覆いかぶさることができるようにし、また、切換レバー３５１の操作によって弁体３５０ａが開口３２７ａの真上から弁体３５０ａの全体が開口３２７ａの位置から外れるまでの間を出入り自在にできるように、切換レバー３５１の回動角度を設定する。
【００９３】
頭部３２０は、図６８〜７１に示すように、把持部側に筒部３１１を突出し、その突出した筒部３１１の先端部には嵌合用の円筒部３１３ａと雄ねじ３１３ｂとを外面側に形成して中継部３１３の雄側として筒部３１２とのねじ結合ができるようにし、そして、吐出側には頂部が曲面に形成され主要部が略円筒状に形成されて内部に特別な突出部が設けられていない空洞となっている頭部外皮３２０ｂを形成し、仕切板や吐出切換弁等を収容することができるようにする。
【００９４】
頭部３２０から突出した筒部３１１の頭頂部側の周面上に、平面状の基部３１１ａを形成し、この基部３１１ａから円筒状に形成した流路切換弁取付部３１１ｂを立設し、この流路切換弁取付部３１１ｂの外周面にＯリング溝３１１ｃを刻設し、そして、流路切換弁取付部３１１ｂに第２実施形態と同様に流路切換弁３４０に設けられた弁体に直結された円柱部を挿通して、円柱部を流路切換弁取付部３１１ｂの軸線回りに回動できるようにし、さらに基部３１１ａには直方体の回動規制部３１１ｄを突設する。
【００９５】
頭部３２０から突出した筒部３１１の内側には、端部内面を弁体球形部の球面形状に合わせた曲面３１８ａを形成するとともに端縁から軸方向に向けて弁軸が回動自在に当接するように平面形状を半円状に刻設した軸受溝３１８ｂを形成し、把持部３１０の軸方向と同軸的な円筒形に形成した弁体抑え３１８を突設し、この弁体抑え３１８の内側には、頭部外皮３２０ｂを貫通する孔３２０ｄを穿設して流路切換弁３４０の下流から頭部３２０に設けられた空間３２０ａへ流出する原水流路を形成し、また、弁体抑え３１８が突出した位置の外周側には、頭部外皮３２０ｂを貫通する孔３２０ｅ，３２０ｅを穿設して把持部３１０から頭部３２０に設けられた空間３２０ａへ流出する浄水流路を形成する。
【００９６】
筒部３１２は、図７２〜７５に示すように、ホース接続部３１４を設けた端部と反対側に位置する端部には、内面側に雌ねじ３１３ｃと嵌合用の円筒内面３１３ｄとを形成して中継部３１３の雌側を形成し、中継部３１３の雄側を形成している筒部３１１側の雄ねじ３１３ｂを螺合することにより、把持部３１０の筒部３１１と筒部３１２とを一体に組み合わせることができるようにする。
そして、ホース接続側に位置する端部の内面側には、水質浄化用カートリッジ３３０の上流側の端部を支持する複数のカギ状に形成されたリブ３１２ａ，…，３１２ａを突設して、このリブ３１２ａ，…，３１２ａにより水質浄化用カートリッジ３３０の上流側の端部を筒状内面と端面３１２ｂとの離間距離を略一定になるように位置固定できるようにする。
また、ホース接続部３１４の外周側には突起部３１４ａを、浄水機能付きシャワーヘッド３００を図示しない水栓本体のホルダ部（あるいはホース保持部）に嵌め込み支持する際の位置決め用リブとして突設する。
【００９７】
流路切換弁３４０は、摘み部３４１と弁体３４２と弁座形成部材３４３とからなる。
このうち、弁体３４２は、第２実施形態と同様に、開閉動作を行う弁体中央部を球形に形成し、その弁体の中央部に貫通孔を穿設し、その貫通孔の軸線に対して垂直で球体表面からも垂直な方向に弁軸を延設する。球形に形成された弁体中央部に対して一方の側に突出した弁軸は、丸棒状に形成し、筒部３１１の内部で弁座形成部材３４３と弁体抑え３１８とに挟持される弁体位置固定用の軸部材を形成する。また、他方の側に突出した弁軸は先端部を断面形状が正方形の角棒状に形成し、その直近の弁体側に寄った位置に漏止め用のＯリング（図示せず）を取り付けられるようにしたＯリング溝を刻設し、このＯリング溝からさらに弁体側によった位置には弁座形成部材の摘み嵌合部に形成された弁軸嵌合部に対する嵌合用の円柱部を形成する。そして、この弁軸の端面から貫通孔側へ向けて同軸的に貫通しない細く深い孔を穿設し、摘み部３４１を外嵌した後にねじ部品（図６６参照）をねじ込むことにより、弁体３４２に摘み部３４１を結合できるようにする。
【００９８】
弁座形成部材３４３は、図７６〜８０に示すように、流路を上流側と下流側とに仕切り、流路の上流側に円筒状のカートリッジ受け３１６を突設してカートリッジ受け３１６の内部を下流側に連通した仕切壁部材３４３ａと、カートリッジ受け３１６より外側の流路を弁座入口側に誘導する導水路（原水流路）３４４を形成する弁座側導入路形成部材３４３ｂと、この弁座側導入路形成部材３４３ｂの下流側に一体に形成されて弁座シート（図６６参照）を内嵌する入口側弁座形成部材３４３ｃと、把持部３１０の頭部側の筒部３１１の内面に嵌合する略円筒形に形成するとともに入口側弁座形成部材３４３ｃとの間の間隙に複数の板状支持部材３４３ｄを配設し支持して両者の間隙を流路（浄水流路）３４５として利用できるように形成した外筒部材３４３ｅとからなる。
【００９９】
入口側弁座形成部材３４３ｃは、下流側の端部に球形に形成した弁体が当接できるように球面の一部となる球状内面３４３ｆを形成し、この内面の最上流側に弁座シート嵌合部３４３ｇを刻設し、弁座シート嵌合部３４３ｇの中央部に弁座側導入路形成部材３４３ｂにより導かれた混合水の弁体側への開口となる貫通孔３４３ｈを同軸的に穿設し、貫通孔３４３ｈの中心軸と直角で垂直軸方向の中心軸を有して垂直軸を中心軸とした平面形状が半円形の弁軸受け部３４３ｉ，３４３ｊを形成する。
弁座シート嵌合部３４３ｇにはＮＢＲ等の熱湯から冷水までの範囲で利用できるゴム製の弁座シート（図６６，６７参照）を嵌め込み、弁体３４２の球状に形成された弁体中央部を当接して弁閉時に密封できるようにする。
【０１００】
外筒部材３４３ｅは略円筒形状の頂部に下流側の端部から軸方向上流側に向けて一部を平面３４３ｋに形成し、その残りの部分は円筒形状のままに維持し、平面３４３ｋの向きは弁軸受け部３４３ｉ，３４３ｊの軸に対して垂直な平面を形成する向きにする。この円筒形状の部分には外周にＯリング溝３４３ｍを刻設する。
平面３４３ｋと入口側弁座形成部材３４３ｃとの間には、弁軸受け部３４３ｊと同軸的な平面形状を半円の孔とした摘み嵌合部３４３ｎを形成し、摘み部嵌合部３４３ｎの径は嵌合される摘み３４１の弁軸接続部の外形を嵌合できる大きさの径に形成し、下端部は弁体３４２の上部に設けられる弁軸の円柱部を嵌合する半円筒形の弁軸嵌合孔３４３ｊになるように縮径する。
【０１０１】
摘み部３４１は、第２実施形態と同様に、上端部に指を掛けやすいように周上等間隔４か所に同じ曲率半径を有する円弧を描く凹部を側面に形成した指掛け部と、その中央部には弁体３４２と摘み部３４１とを一体に結合するねじ部品（図３参照）を挿入するための孔を穿設し、指掛け部の一方の面から突出して筒部３１１の流路切換弁取付部３１１ｂに外嵌する円筒状の外筒部を設け、この外筒部と同じ面の中央部から突出して弁体３４２の先端部が角棒状に形成された弁軸に外嵌する略円筒状の弁軸接続部を設ける。
【０１０２】
弁軸接続部は、指掛け部側の外表面から同心的に孔が穿設され、弁軸接続端側には弁軸に外嵌する弁軸外嵌孔が穿設され、その中央部にはねじ部品の貫通孔が穿設される。
外筒部の先端部には、内面側に面取りして筒部３１１に形成された流路切換弁取付部３１１ｂとのあたりを防止するとともに、その面取り部の一部を断面が矩形の溝に形成して拡径し、流路切換弁取付部３１１ｂの根元部に突出した回動規制部３１１ｄ（図６８参照）を外側から覆被して、溝の形成範囲につき回動できるようにする。
【０１０３】
頭部３２０の内部に組み込まれる仕切部材３２５、集合通過部材３２６、吐出面形成部材としてのシャワープレート３２１、および切換レバー３５１を有する吐出切換弁３５０は、第２実施形態と同じく、第１実施形態のものを特に変更することなくそのまま利用する。
【０１０４】
〔作用効果〕
このように構成した第３実施形態においては、流路切換弁３４０の摘み部３４１を回動することによって浄水と原水とを切り換えることができ、また、浄水と原水との切換えとは独立に、吐出切換弁３５０の切換レバー３５１を操作することによってストレート吐出とシャワー吐出とを切り換えることができるようになる。
【０１０５】
いま、図６６，６７に示すように流路切換弁３４０が閉状態にされて浄水吐出に設定された場合、混合水がホース接続部側から水質浄化用カートリッジ３３０の外周側流路３３１に流入し、この外周側流路３３１から水質浄化材３３３を透過して中央空間部３３２に流出して、この間に水質が浄化され、浄化された混合水は弁座形成部材３４３に設けられたカートリッジ受け３１６の内面側から流路３４５を通過して頭部３２０の空間３２０ａに流出し、この空間３２０ａから集合通過部材３２６を介して吐出切換弁３５０の設定に従ってストレート吐出またはシャワー吐出する。
【０１０６】
次に、流路切換弁３４０の摘み部３４１を必要角度回動して、閉状態から開状態に変更して原水吐出に設定した場合には、図８１，８２に示すように弁体３４２の球形に形成された弁体中央部に設けられた貫通孔が流路切換弁３４０の上流側と下流側とを連通し、ホース接続部側から流入してくる混合水が、水質浄化用カートリッジ３３０の外周側流路３３１を通過し、外周側流路３３１からカートリッジ受け３１６の外面側の流路３１６ａ、導水路３４４、流路切換弁３４０の弁体３４２の弁体中央部に設けられた貫通孔および頭部外皮３２０ｂの孔３２０ｄを介して頭部３２０の空間３２０ａに流出し、この空間３２０ａから集合通過部材３２６を介して吐出切換弁３５０の設定に従ってストレート吐出またはシャワー吐出する。
【０１０７】
また、吐出切換弁３５０の操作についても、流路切換弁３４０の操作とは独立にでき、ストレート吐出とシャワー吐出とを任意に設定することができる。
例えば、切換レバー３５１を操作して直結された弁軸の軸心を中心にして弁体３５０ａをストレート吐出側に回動すると、弁体３５０ａがストレート吐出用流路形成部材３２７の開口３２７ａの位置から外れ、集合通過部材３２６から流出する混合水がストレート吐出用流路形成部材３２７の開口３２７ａへ流入し、ストレート吐出用流路形成部材３２７の内部を通過してストレート吐出口３２２から吐出するようになる。
【０１０８】
さらに、切換レバー３５１がストレート吐出側に設定されている場合に、切換レバー３５１を反対方向へ操作して、弁軸の軸心を中心にしてシャワー吐出側に回動すると、弁体３５０ａの皿部３５０ｂがストレート吐出用流路形成部材３２７の開口３２７ａの上部に位置して開口３２７ａを塞ぎ、集合通過部材３２６から流出する混合水が弁体３５０ａの皿部３５０ｂに阻まれてストレート吐出用流路形成部材３２７の周囲に流出し、仕切部材３２５とシャワープレート３２１によって形成された吐出面上流側空間３２０ｃを介してシャワー吐出口３２３から吐出するようになる。
【０１０９】
これにより、水質浄化用カートリッジ３３０の下流側に流路切換弁３４０を設けた場合であっても、原水と浄水のいずれも容易に選択できるようになり、吐出切換弁３５０との組合せにより、原水と浄水のいずれもストレート吐出またはシャワー吐出することができるようになる。
さらに、原水吐出時には、水質浄化材３３３よりも上流側の流路（水質浄化用カートリッジ３３０の外周側流路３３１）が原水と浄水との共用流路となって、フィルタ３３４で被われた水質浄化材３３３の外面側を通過する混合水によって、浄水吐出時にフィルタ３３４の表面に溜まった蓄積物が洗い流されて、目詰りを起こりにくくするとともに水質浄化材３３３の劣化を防止して、長期間、水質浄化性能を高レベルに維持できるようになる。
【０１１０】
【発明の効果】
以上のように本発明における請求項１に係る浄水機能付きシャワーヘッドでは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の上流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの中央空間部に連通する流路を形成するとともに弁座外周側に前記水質浄化用カートリッジの外周側に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置して前記頭部の外部より操作可能に形成したことにより、把持部に水質浄化用カートリッジを交換可能に収容し、前記把持部の外部で流路切換弁の摘みを操作して浄水か原水かのいずれか一方の吐出を選択し、頭部の外部で吐出切換弁の操作部を操作してシャワーとストレートのいずれか一方からの吐出を選択することができて、吐出種類が多いにもかかわらず、回動式に形成された流路切換弁と吐出切換弁とを把持部と頭部とに分離配置して、流路抵抗を増加させることなく操作性を向上させるとともに、各部品を取り扱いやすくかつ製作しやすい大きさの範囲で形成することができて、操作性を向上し、製造を容易にして、製造コストを安価にすることができる。また、弁閉状態で水質浄化用カートリッジの外周側から中央空間部に向けて透過して水質を浄化する浄水吐出ができ、弁開状態で原水吐出することができ、弁構造を最も簡素化した形態に形成できて、部品点数が削減でき、製造を容易にして、製造コストを低減化することができる。
【０１１１】
また、請求項２に係る浄水機能付きシャワーヘッドでは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの中央空間部に連通する流路を形成するとともに弁座外周側に前記水質浄化用カートリッジの外周側に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことにより、弁閉状態で水質浄化用カートリッジの中央空間部から外周側に向けて透過して水質を浄化する浄水吐出ができ、弁開状態で原水吐出することができ、弁構造を簡素化した形態に形成できて、部品点数が削減でき、製造を容易にして、製造コストを低減化することができる。
【０１１２】
また、請求項３に係る浄水機能付きシャワーヘッドでは、シャワー吐出口およびストレート吐出口を有する頭部と筒状の水質浄化材を内蔵した水質浄化用カートリッジを交換可能に収容する把持部とを一体に形成し、この把持部の水質浄化用カートリッジ収容箇所の下流側に浄水と原水とを切り換える流路切換弁を設け、この流路切換弁を弁座流路に対して垂直な軸の軸回りに弁体を回動する回動式遮断弁として形成するとともに前記把持部の外部に回動式遮断弁操作用の摘みを配置して前記把持部の外部より操作可能に形成し、前記弁体内に所定の回動角度位置で水質浄化用カートリッジの外周側に連通する流路を形成するとともに弁座外周側に前記水質浄化用カートリッジの中央空間部に連通する流路を形成し、さらに、前記頭部の吐出口の上流側に前記流路切換弁とは独立に機能してシャワー吐出とストレート吐出とを切り換える吐出切換弁を設け、前記頭部の外部に操作部を配置してこの吐出切換弁を前記頭部の外部より操作可能に形成したことにより、弁閉状態で水質浄化用カートリッジの外周側から中央空間部に向けて透過して水質を浄化する浄水吐出ができ、弁開状態で原水吐出することができ、弁構造を比較的簡素化した形態に形成できて、部品点数が削減でき、製造を容易にして、製造コストを低減化することができる。
【０１１３】
また、請求項４に係る浄水機能付きシャワーヘッドでは、前記吐出切換弁を弁座流路に対して平行な軸の軸回りに弁体を回動する回動式遮断弁として形成したことにより、流路切換弁の流路抵抗を効果的に低減化するとともに、部品を取り扱いやすい大きさの範囲で形成することができ、操作性を向上することができ、製造を容易にすることができる。
【０１１４】
また、請求項５に係る浄水機能付きシャワーヘッドでは、前記吐出切換弁を板状に形成された弁体を有する遮断弁としたことにより、狭い場所であっても配置することができる簡易な構造の遮断弁が構成でき、製造を容易にし、コストを安価にすることができる。
【０１１５】
また、請求項６に係る浄水機能付きシャワーヘッドでは、前記吐出切換弁を弁軸に対して前記弁体の板面を略垂直に向け、アーム部を介して前記弁軸から離間した位置に前記板面を配置して、前記弁体を弁軸回りに回動する遮断弁として形成したことにより、吐出切換弁に弁体を狭い空間であっても配設でき、必要な機能を発揮することができる形状と動作を与えることができ、頭部の小型化を実現することができる。
【図面の簡単な説明】
【図１】本発明の第１実施形態における浄水機能付きシャワーヘッドを示す側面図である。
【図２】同上浄水機能付きシャワーヘッドを示す平面図である。
【図３】同上浄水機能付きシャワーヘッドを浄水吐出時の状態で示す側面断面図（図２のＡ−Ａ矢視図）である。
【図４】同上浄水機能付きシャワーヘッドを浄水吐出時の状態で示す平面断面図（図１のＢ−Ｂ矢視図）である。
【図５】同上浄水機能付きシャワーヘッドの頭部を示す下平面図である。
【図６】同上浄水機能付きシャワーヘッドの頭部を示す側面断面図（図５のＣ−Ｃ矢視図）である。
【図７】同上浄水機能付きシャワーヘッドの筒部を示す平面図である。
【図８】同上浄水機能付きシャワーヘッドの筒部を示す正面図である。
【図９】同上浄水機能付きシャワーヘッドの筒部を示す後正面図である。
【図１０】同上浄水機能付きシャワーヘッドの筒部を示す側面断面図（図７のＤ−Ｄ矢視図）である。
【図１１】同上浄水機能付きシャワーヘッドにおける流路切換弁の弁体を示す側面図である。
【図１２】同上浄水機能付きシャワーヘッドにおける流路切換弁の弁体を示す平面図である。
【図１３】同上浄水機能付きシャワーヘッドにおける流路切換弁の弁体を示す正面断面図（図１１のＥ−Ｅ矢視図）である。
【図１４】同上浄水機能付きシャワーヘッドにおける流路切換弁の弁座形成部材を示す正面図である。
【図１５】同上浄水機能付きシャワーヘッドにおける流路切換弁の弁座形成部材を示す平面図である。
【図１６】同上浄水機能付きシャワーヘッドにおける流路切換弁の弁座形成部材を示す側面断面図（図１５のＦ−Ｆ矢視図）である。
【図１７】同上浄水機能付きシャワーヘッドにおける流路切換弁の弁座形成部材を示す下平面図である。
【図１８】同上浄水機能付きシャワーヘッドにおける流路切換弁の弁座形成部材を示す後正面図である。
【図１９】同上浄水機能付きシャワーヘッドにおける流路切換弁の摘み部を示す正面図である。
【図２０】同上浄水機能付きシャワーヘッドにおける流路切換弁の摘み部を示す平面図である。
【図２１】同上浄水機能付きシャワーヘッドにおける流路切換弁の摘み部を示す側面断面図（図２０のＧ−Ｇ矢視図）である。
【図２２】同上浄水機能付きシャワーヘッドにおける流路切換弁の摘み部を示す下平面図である。
【図２３】同上浄水機能付きシャワーヘッドにおける仕切部材を示す平面図である。
【図２４】同上浄水機能付きシャワーヘッドにおける仕切部材を示す側面断面図（図２３のＩ−Ｉ矢視図）である。
【図２５】同上浄水機能付きシャワーヘッドにおける仕切部材を示す下平面図である。
【図２６】同上浄水機能付きシャワーヘッドにおける集合通過部材を示す平面図である。
【図２７】同上浄水機能付きシャワーヘッドにおける集合通過部材を示す側面断面図（図２６のＫ−Ｋ矢視図）である。
【図２８】同上浄水機能付きシャワーヘッドにおける集合通過部材を示す下平面図である。
【図２９】同上浄水機能付きシャワーヘッドにおけるシャワープレートを示す平面図である。
【図３０】同上浄水機能付きシャワーヘッドにおけるシャワープレートを示す正面図である。
【図３１】同上浄水機能付きシャワーヘッドにおけるシャワープレートを示す側面断面図（図２９のＨ−Ｈ矢視図）である。
【図３２】同上浄水機能付きシャワーヘッドにおけるシャワープレートを示す下平面図である。
【図３３】同上浄水機能付きシャワーヘッドにおけるストレート吐出用流路形成部材を示す平面図である。
【図３４】同上浄水機能付きシャワーヘッドにおけるストレート吐出用流路形成部材を示す側面断面図（図３３のＪ−Ｊ矢視図）である。
【図３５】同上浄水機能付きシャワーヘッドにおけるストレート吐出用流路形成部材を示す下平面図である。
【図３６】同上浄水機能付きシャワーヘッドにおける吐出切換弁の切換レバーを示す説明図であり、（Ａ）は側面図、（Ｂ）は正面図、（Ｃ）は後正面図、（Ｄ）は平面図、（Ｅ）は下平面図である。
【図３７】同上浄水機能付きシャワーヘッドにおける吐出切換弁の弁体を示す説明図であり、（Ａ）は側面図、（Ｂ）は正面図、（Ｃ）は後正面図、（Ｄ）は平面図、（Ｅ）は下平面図である。
【図３８】同上浄水機能付きシャワーヘッドにおける吐出切換弁の弁体を示す側面断面図（図３７（Ｄ）のＬ−Ｌ矢視図）である。
【図３９】同上浄水機能付きシャワーヘッドを原水吐出時の状態で示す側面断面図（図２のＡ−Ａ矢視図）である。
【図４０】同上浄水機能付きシャワーヘッドを原水吐出時の状態で示す平面断面図（図１のＢ−Ｂ矢視図）である。
【図４１】本発明の第２実施形態における浄水機能付きシャワーヘッドを示す側面図である。
【図４２】同上浄水機能付きシャワーヘッドを示す平面図である。
【図４３】同上浄水機能付きシャワーヘッドを浄水吐出時の状態で示す側面断面図（図４２のＡ−Ａ矢視図）である。
【図４４】同上浄水機能付きシャワーヘッドを浄水吐出時の状態で示す平面断面図（図４１のＢ−Ｂ矢視図）である。
【図４５】同上浄水機能付きシャワーヘッドの頭部を示す上平面図である。
【図４６】同上浄水機能付きシャワーヘッドの頭部を示す下平面図である。
【図４７】同上浄水機能付きシャワーヘッドの頭部を示す側面断面図（図４５のＣ−Ｃ矢視図）である。
【図４８】同上浄水機能付きシャワーヘッドの頭部を示す平面部分断面図（図４７のＤ−Ｄ矢視図）である。
【図４９】同上浄水機能付きシャワーヘッドの筒部を示す側面図である。
【図５０】同上浄水機能付きシャワーヘッドの筒部を示す正面図である。
【図５１】同上浄水機能付きシャワーヘッドの筒部を示す後正面図である。
【図５２】同上浄水機能付きシャワーヘッドの筒部を示す側面断面図（図４９のＥ−Ｅ矢視図）である。
【図５３】同上浄水機能付きシャワーヘッドにおける流路切換弁の弁体を示す側面図である。
【図５４】同上浄水機能付きシャワーヘッドにおける流路切換弁の弁体を示す平面図である。
【図５５】同上浄水機能付きシャワーヘッドにおける流路切換弁の弁体を示す正面断面図（図５４のＦ−Ｆ矢視図）である。
【図５６】同上浄水機能付きシャワーヘッドにおける流路切換弁の弁座形成部材を示す正面図である。
【図５７】同上浄水機能付きシャワーヘッドにおける流路切換弁の弁座形成部材を示す平面図である。
【図５８】同上浄水機能付きシャワーヘッドにおける流路切換弁の弁座形成部材を示す側面断面図（図５７のＧ−Ｇ矢視図）である。
【図５９】同上浄水機能付きシャワーヘッドにおける流路切換弁の弁座形成部材を示す後正面図である。
【図６０】同上浄水機能付きシャワーヘッドにおける流路切換弁の摘み部を示す正面図である。
【図６１】同上浄水機能付きシャワーヘッドにおける流路切換弁の摘み部を示す平面図である。
【図６２】同上浄水機能付きシャワーヘッドにおける流路切換弁の摘み部を示す側面断面図（図６１のＨ−Ｈ矢視図）である。
【図６３】同上浄水機能付きシャワーヘッドにおける流路切換弁の摘み部を示す下平面図である。
【図６４】同上浄水機能付きシャワーヘッドを原水吐出時の状態で示す側面断面図（図４２のＡ−Ａ矢視図）である。
【図６５】同上浄水機能付きシャワーヘッドを原水吐出時の状態で示す平面断面図（図４１のＢ−Ｂ矢視図）である。
【図６６】本発明の第３実施形態における浄水機能付きシャワーヘッドを浄水吐出時の状態で示す側面断面図（図４２のＡ−Ａ矢視図相当図面）である。
【図６７】同上浄水機能付きシャワーヘッドを浄水吐出時の状態で示す平面断面図（図４１のＢ−Ｂ矢視図相当図面）である。
【図６８】同上浄水機能付きシャワーヘッドの頭部を示す上平面図である。
【図６９】同上浄水機能付きシャワーヘッドの頭部を示す下平面図である。
【図７０】同上浄水機能付きシャワーヘッドの頭部を示す側面断面図（図６８のＣ−Ｃ矢視図）である。
【図７１】同上浄水機能付きシャワーヘッドの頭部を示す平面部分断面図（図７０のＤ−Ｄ矢視図）である。
【図７２】同上浄水機能付きシャワーヘッドの筒部を示す側面図である。
【図７３】同上浄水機能付きシャワーヘッドの筒部を示す正面図である。
【図７４】同上浄水機能付きシャワーヘッドの筒部を示す後正面図である。
【図７５】同上浄水機能付きシャワーヘッドの筒部を示す側面断面図（図７２のＥ−Ｅ矢視図）である。
【図７６】同上浄水機能付きシャワーヘッドにおける流路切換弁の弁座形成部材を示す正面図である。
【図７７】同上浄水機能付きシャワーヘッドにおける流路切換弁の弁座形成部材を示す平面図である。
【図７８】同上浄水機能付きシャワーヘッドにおける流路切換弁の弁座形成部材を示す後正面図である。
【図７９】同上浄水機能付きシャワーヘッドにおける流路切換弁の弁座形成部材を示す側面断面図（図７７のＧ−Ｇ矢視図）である。
【図８０】同上浄水機能付きシャワーヘッドにおける流路切換弁の弁座形成部材を示す平面断面図（図７６のＨ−Ｈ矢視図）である。
【図８１】同上浄水機能付きシャワーヘッドを原水吐出時の状態で示す側面断面図（図４２のＡ−Ａ矢視図相当図面）である。
【図８２】同上浄水機能付きシャワーヘッドを原水吐出時の状態で示す平面断面図（図４１のＢ−Ｂ矢視図相当図面）である。
【符号の説明】
１００，２００，３００  浄水機能付きシャワーヘッド
１１０，２１０，３１０  把持部
１１１，１１２，２１１，２１２，３１１，３１２    筒部
３１２ａ  リブ
１１２ａ，２１１ｂ，３１１ｂ  流路切換弁取付部
１１２ｂ，２１１ｃ，３１１ｃ  Ｏリング溝
３１２ｂ  端面
１１２ｃ  突起部
１１２ｄ，２１１ｄ，３１１ｄ  回動規制部
１１３，２１３，３１３  中継部
１１３ａ，２１３ａ，３１３ａ  円筒部
１１３ｂ，２１３ｂ，３１３ｂ  雄ねじ
１１３ｃ，２１３ｃ，３１３ｃ  雌ねじ
１１３ｄ，２１３ｄ，３１３ｄ  円筒内面
１１４，２１４，３１４  ホース接続部
１１４ａ，２１４ａ，３１４ａ  突起部
１１５，２１５，３１５  ホース取付ねじ
１１６，１１７，２１６，２１７，３１６  カートリッジ受け
１１６ａ，１１７ａ，２１６ａ，２１７ａ，３１６ａ  外周側の流路
１１６ｂ，２１７ｂ，３１６ｂ  内面側の流路
１１７ｂ，２１６ｂ  内面側の空間
２１８，３１８  弁体抑え
１２０，２２０，３２０  頭部
１２０ａ，２２０ａ，３２０ａ  空間（空洞）
１２０ｂ，２２０ｂ，３２０ｂ  頭部外皮
１２０ｃ，２２０ｃ，３２０ｃ  吐出面上流側空間（吐出切換弁収容空間）
１２１，２２１，３２１  シャワープレート
１２１ａ  円板部
１２１ｂ  張出部
１２１ｃ  多条雌ねじ
１２１ｄ  段差部
１２１ｅ  凹部
１２１ｆ  突出部
１２２，２２２，３２２  ストレート吐出口
１２３，２２３，３２３  シャワー吐出口
１２４  軸孔
１２５，２２５  仕切部材
１２５ａ  円盤状仕切板
１２５ｂ，１２５ｃ  環状部材
１２５ｄ  嵌合孔
１２５ｅ  多条雄ねじ
１２５ｆ  Ｏリング溝
１２６，２２６，３２６  集合通過部材
１２６ａ  円柱部
１２６ｂ  溝
１２６ｃ  光芒
１２６ｄ  鍔部
１２７，２２７，３２７  ストレート吐出用流路形成部材
１２７ａ，２２７ａ，３２７ａ  開口（弁座流路）
１３０，２３０，３３０  水質浄化用カートリッジ
１３０ａ，２３０ａ，３３０ａ  （上流側の）端部キャップ
１３０ｂ，２３０ｂ，３３０ｂ  （下流側の）端部キャップ
１３１，２３１，３３１  外周側流路
１３２，２３２，３３２  中央空間部
１３３，２３３，３３３  水質浄化材
１３４，２３４，３３４  （外周側の）フィルタ
２３５  （内面側の）フィルタ
１４０，２４０，３４０  流路切換弁
１４１，２４１，３４１  摘み部
１４１ａ，２４１ａ  指掛け部
１４１ｂ，２４１ｂ  孔
１４１ｃ，２４１ｃ  外筒部
１４１ｄ，２４１ｄ  弁軸接続部
１４１ｅ，２４１ｅ  弁軸外嵌孔
１４１ｆ，２４１ｆ  貫通孔
１４１ｇ，２４１ｇ  溝
１４２，２４２，３４２  弁体
１４２ａ，２４２ａ  貫通孔（弁体内流路）
１４２ｂ，１４２ｃ，２４２ｂ，２４２ｃ  弁軸
１４２ｄ，２４２ｄ  Ｏリング溝
１４２ｅ，２４２ｅ  円柱部
１４２ｆ，２４２ｆ  孔
１４３，２４３，３４３  弁座形成部材
１４３ａ，２４３ａ  円筒部材（カートリッジ受け１１７）
１４３ｂ，２４３ｂ  略円筒部材
１４３ｃ，２４３ｃ  支持板
１４３ｄ，２４３ｄ  摘み嵌合部
１４３ｅ  弁座支持部
１４３ｆ，２４３ｆ  嵌合部
１４３ｇ，２４３ｇ  頂部
１４３ｈ，２４３ｈ  摘み部嵌合孔
１４３ｉ，２４３ｉ  弁軸嵌合部
１４３ｊ，１４３ｋ，２４３ｊ  溝
１４４，２４４  貫通孔（弁座流路）
３４３ａ  仕切壁部材
３４３ｂ  弁座側導入路形成部材
３４３ｃ  入口側弁座形成部材
３４３ｄ  板状支持部材
３４３ｅ  外筒部材
３４３ｆ  球状内面
３４３ｇ  弁座シート嵌合部
３４３ｈ  貫通孔
３４３ｉ，３４３ｊ  弁軸受け部
３４３ｋ  平面
３４３ｍ  Ｏリング
３４３ｎ  摘み嵌合部
３４４  導水路（原水流路）
３４５  流路（浄水流路）
１５０，２５０，３５０  吐出切換弁
１５０ａ  弁体
１５０ｂ  皿部
１５０ｃ  アーム部
１５０ｄ  嵌合孔
１５０ｅ  軸結合部
１５１，２５１，３５１  切換レバー（操作部）
１５１ａ  弁軸
１５１ｂ  レバー部（操作片）
１５１ｃ  指掛け部
１５１ｄ  凹部
１５１ｅ  弾性係止部
【図１】
0004575544.tif 000002
【図２】
0004575544.tif 000003
【図３】
0004575544.tif 000004
【図４】
0004575544.tif 000005
【図５】
0004575544.tif 000006
【図６】
0004575544.tif 000007
【図７】
0004575544.tif 000008
【図８】
0004575544.tif 000009
【図９】
0004575544.tif 000010
【図１０】
0004575544.tif 000011
【図１１】
0004575544.tif 000012
【図１２】
0004575544.tif 000013
【図１３】
0004575544.tif 000014
【図１４】
0004575544.tif 000015
【図１５】
0004575544.tif 000016
【図１６】
0004575544.tif 000017
【図１７】
0004575544.tif 000018
【図１８】
0004575544.tif 000019
【図１９】
0004575544.tif 000020
【図２０】
0004575544.tif 000021
【図２１】
0004575544.tif 000022
【図２２】
0004575544.tif 000023
【図２３】
0004575544.tif 000024
【図２４】
0004575544.tif 000025
【図２５】
0004575544.tif 000026
【図２６】
0004575544.tif 000027
【図２７】
0004575544.tif 000028
【図２８】
0004575544.tif 000029
【図２９】
0004575544.tif 000030
【図３０】
0004575544.tif 000031
【図３１】
0004575544.tif 000032
【図３２】
0004575544.tif 000033
【図３３】
0004575544.tif 000034
【図３４】
0004575544.tif 000035
【図３５】
0004575544.tif 000036
【図３６】
0004575544.tif 000037
【図３７】
0004575544.tif 000038
【図３８】
0004575544.tif 000039
【図３９】
0004575544.tif 000040
【図４０】
0004575544.tif 000041
【図４１】
0004575544.tif 000042
【図４２】
0004575544.tif 000043
【図４３】
0004575544.tif 000044
【図４４】
0004575544.tif 000045
【図４５】
0004575544.tif 000046
【図４６】
0004575544.tif 000047
【図４７】
0004575544.tif 000048
【図４８】
0004575544.tif 000049
【図４９】
0004575544.tif 000050
【図５０】
0004575544.tif 000051
【図５１】
0004575544.tif 000052
【図５２】
0004575544.tif 000053
【図５３】
0004575544.tif 000054
【図５４】
0004575544.tif 000055
【図５５】
0004575544.tif 000056
【図５６】
0004575544.tif 000057
【図５７】
0004575544.tif 000058
【図５８】
0004575544.tif 000059
【図５９】
0004575544.tif 000060
【図６０】
0004575544.tif 000061
【図６１】
0004575544.tif 000062
【図６２】
0004575544.tif 000063
【図６３】
0004575544.tif 000064
【図６４】
0004575544.tif 000065
【図６５】
0004575544.tif 000066
【図６６】
0004575544.tif 000067
【図６７】
0004575544.tif 000068
【図６８】
0004575544.tif 000069
【図６９】
0004575544.tif 000070
【図７０】
0004575544.tif 000071
【図７１】
0004575544.tif 000072
【図７２】
0004575544.tif 000073
【図７３】
0004575544.tif 000074
【図７４】
0004575544.tif 000075
【図７５】
0004575544.tif 000076
【図７６】
0004575544.tif 000077
【図７７】
0004575544.tif 000078
【図７８】
0004575544.tif 000079
【図７９】
0004575544.tif 000080
【図８０】
0004575544.tif 000081
【図８１】
0004575544.tif 000082
【図８２】
0004575544.tif 000083